(57)【要約】      （修正有）【課題】容易に組み立てることができる祭壇を提供する。【解決手段】折り畳み可能に形成された板紙製の後飾り壇１である。後飾り壇１は、前面に開口部７を有し、上下方向に延びた筒状に形成され、筒形状を成した使用形態Ｆ１と、左右両面が上下方向に延設された一対の縦線部８に沿って折れながら左右両外側に突出することで前後方向に平坦に折り畳まれた折畳形態との間で変形する筒体２と、筒体２の上面開口を閉塞する天板５と、開口部７の下部にて筒体２の内部を閉塞する棚板６と、を備え、天板５が上面開口を閉塞し、且つ棚板６が筒体２の内部を閉塞した状態で、筒体２は使用形態Ｆ１に保持される。【選択図】図１
0003222909.tif 000002
【実用新案登録請求の範囲】
【請求項１】
折り畳み可能に形成された板紙製の祭壇（１）であって、
前面に開口部（７）を有し、上下方向に延びた筒状に形成され、筒形状を成した使用形態（Ｆ１）と、左右両面が上下方向に延設された一対の縦線部（８）に沿って折れながら左右両外側に突出することで前後方向に平坦に折り畳まれた折畳形態（Ｆ２）との間で変形する筒体（２）と、
前記筒体の上面開口（２Ａ）を閉塞する天板（５）と、
前記開口部の下部にて前記筒体の内部を閉塞する棚板（６）と、を備え、
前記天板が前記上面開口を閉塞し、且つ前記棚板が前記筒体の内部を閉塞した状態で、前記筒体は前記使用形態に保持されることを特徴とする祭壇。
【請求項２】
前記天板は、前記筒体の前記上面開口を閉塞した状態で、前記筒体に形成された係合部（２９）に係合する被係合部（５７）を有し、
前記棚板は、前記筒体の内部を閉塞した状態で、前記筒体に形成された棚係合部に係合する被棚係合部を有していることを特徴とする請求項１に記載の祭壇。
【請求項３】
前記筒体は、
前記開口部を有する前面板（２０）と、
前記前面板の左右両端部に連設され、前記前面板から左右両外側に向かって後方に傾斜した一対の前方側面板（２１）と、
一対の前記前方側面板の左右両端部に連設された一対の前方継代片（２２）と、
前記前面板の後方に対向する後面板（３０）と、
前記後面板の左右両端部に連設され、前記後面板から左右両外側に向かって前方に傾斜した一対の後方側面板（３１）と、
一対の前記後方側面板の左右両端部に連設された一対の後方継代片（３２）と、を含み、
一対の前記縦線部は、一対の前記前方継代片と一対の前記後方継代片とを内側に折り曲げて接着した部分であることを特徴とする請求項１または２に記載の祭壇。
【請求項４】
前記天板は、前記筒体の前側または後側に接続され、前記上面開口を閉塞する閉塞姿勢（Ｐ１）と前記筒体との接続部（Ｌ１４）を軸に上方に回動して前記上面開口を開放する開放姿勢（Ｐ２）との間で姿勢変更され、
前記棚板は、前記筒体の前側または後側に接続され、前記筒体の内部を閉塞する棚閉塞姿勢（Ｐ３）と前記筒体との接続部（Ｌ１２）を軸に上方に回動して前記筒体の内部を開放する棚開放姿勢（Ｐ４）との間で姿勢変更され、
前記天板が前記閉塞姿勢に姿勢変更され、且つ前記棚板が前記棚閉塞姿勢に姿勢変更された状態で、前記筒体は前記使用形態に保持されることを特徴とする請求項１ないし３のいずれかに記載の祭壇。
【請求項５】
前記筒体の前後方向に対向した一対の内面の上部に接続され、且つ前記天板の下面に接続され、前記筒体が前記使用形態に変形した状態で前記天板を前記閉塞姿勢にする上方展開形態（Ｆ３）と、前記筒体が前記折畳形態に変形した状態で前記天板を前記開放姿勢にする上方収縮形態（Ｆ４）との間で変形する上方開閉部材（３）と、
前記筒体の前後方向に対向した一対の内面の下部に接続され、且つ前記棚板の下面に接続され、前記筒体が前記使用形態に変形した状態で前記棚板を前記棚閉塞姿勢にする下方展開形態（Ｆ５）と、前記筒体が前記折畳形態に変形した状態で前記棚板を前記棚開放姿勢にする下方収縮形態（Ｆ６）との間で変形する下方開閉部材（４）と、を備えていることを特徴とする請求項４に記載の祭壇。
【考案の詳細な説明】
【技術分野】
【０００１】
本考案は、折り畳み可能に形成された板紙製の祭壇に関する。
【背景技術】
【０００２】
特許文献１には、防災薬剤を塗布した段ボール紙を材質とした祭壇が開示されている。この祭壇は、背板から前方に延びた３つの支持板と、３つの支持板の上段支持部に取り付けられた上段板と、３つの支持板の下段支持部に取り付けられた下段板と、を備えていた。この祭壇を組み立てる場合、作業者は、３つの支持板を平行に並べ、上段板と下段板とを３つの支持板にスリット溝に噛み合わせ、その後、下段板に形成された３つの連結片を３つの支持板にネジ止めする。これにより、３つの支持板と下段板とが固定され、祭壇の階段形状が保持されていた。
【先行技術文献】
【特許文献】
【０００３】
【特許文献１】特開２０００−９３２８９号公報
【考案の概要】
【考案が解決しようとする課題】
【０００４】
しかしながら、上記した祭壇の組立工程では、下段板を各支持板にネジ止めしなければならないため、祭壇の組み立てに多くの手間と時間がかかるという問題があった。つまり、上記した祭壇は容易に組み立てることができなかった。
【０００５】
本考案は、上記課題を解決するために、容易に組み立てることができる祭壇を提供する。
【課題を解決するための手段】
【０００６】
上記した目的を達成するため、本考案は、折り畳み可能に形成された板紙製の祭壇であって、前面に開口部を有し、上下方向に延びた筒状に形成され、筒形状を成した使用形態と、左右両面が上下方向に延設された一対の縦線部に沿って折れながら左右両外側に突出することで前後方向に平坦に折り畳まれた折畳形態との間で変形する筒体と、前記筒体の上面開口を閉塞する天板と、前記開口部の下部にて前記筒体の内部を閉塞する棚板と、を備え、前記天板が前記上面開口を閉塞し、且つ前記棚板が前記筒体の内部を閉塞した状態で、前記筒体は前記使用形態に保持される。
【０００７】
この場合、前記天板は、前記筒体の前記上面開口を閉塞した状態で、前記筒体に形成された係合部に係合する被係合部を有し、前記棚板は、前記筒体の内部を閉塞した状態で、前記筒体に形成された棚係合部に係合する被棚係合部を有していることが好ましい。
【０００８】
この場合、前記筒体は、前記開口部を有する前面板と、前記前面板の左右両端部に連設され、前記前面板から左右両外側に向かって後方に傾斜した一対の前方側面板と、一対の前記前方側面板の左右両端部に連設された一対の前方継代片と、前記前面板の後方に対向する後面板と、前記後面板の左右両端部に連設され、前記後面板から左右両外側に向かって前方に傾斜した一対の後方側面板と、一対の前記後方側面板の左右両端部に連設された一対の後方継代片と、を含み、一対の前記縦線部は、一対の前記前方継代片と一対の前記後方継代片とを内側に折り曲げて接着した部分であることが好ましい。
【０００９】
この場合、前記天板は、前記筒体の前側または後側に接続され、前記上面開口を閉塞する閉塞姿勢と前記筒体との接続部を軸に上方に回動して前記上面開口を開放する開放姿勢との間で姿勢変更され、前記棚板は、前記筒体の前側または後側に接続され、前記筒体の内部を閉塞する棚閉塞姿勢と前記筒体との接続部を軸に上方に回動して前記筒体の内部を開放する棚開放姿勢との間で姿勢変更され、前記天板が前記閉塞姿勢に姿勢変更され、且つ前記棚板が前記棚閉塞姿勢に姿勢変更された状態で、前記筒体は前記使用形態に保持されることが好ましい。
【００１０】
この場合、前記筒体の前後方向に対向した一対の内面の上部に接続され、且つ前記天板の下面に接続され、前記筒体が前記使用形態に変形した状態で前記天板を前記閉塞姿勢にする上方展開形態と、前記筒体が前記折畳形態に変形した状態で前記天板を前記開放姿勢にする上方収縮形態との間で変形する上方開閉部材と、前記筒体の前後方向に対向した一対の内面の下部に接続され、且つ前記棚板の下面に接続され、前記筒体が前記使用形態に変形した状態で前記棚板を前記棚閉塞姿勢にする下方展開形態と、前記筒体が前記折畳形態に変形した状態で前記棚板を前記棚開放姿勢にする下方収縮形態との間で変形する下方開閉部材と、を備えていることが好ましい。
【考案の効果】
【００１１】
本考案によれば、祭壇を容易に組み立てることができる。
【図面の簡単な説明】
【００１２】
【図１】本考案の一実施形態に係る後飾り壇（使用形態）を示す斜視図である。
【図２】本考案の一実施形態に係る後飾り壇（使用形態）を示す正面図である。
【図３】図２のＩＩＩ−ＩＩＩ断面図である。
【図４】図２のＩＶ−ＩＶ断面図である。
【図５】本考案の一実施形態に係る後飾り壇の正面部等のブランクを示す平面図である。
【図６】本考案の一実施形態に係る後飾り壇の背面部等のブランクを示す平面図である。
【図７】本考案の一実施形態に係る後飾り壇の後方支持部のブランクを示す平面図である。
【図８】本考案の一実施形態に係る後飾り壇の天板の一部のブランクを示す平面図である。
【図９】本考案の一実施形態に係る後飾り壇の天板芯材のブランクを示す平面図である。
【図１０】本考案の一実施形態に係る後飾り壇の棚板の一部のブランクを示す平面図である。
【図１１】本考案の一実施形態に係る後飾り壇の棚芯材のブランクを示す平面図である。
【図１２】本考案の一実施形態に係る後飾り壇の側縁補強板を示す平面図である。
【図１３】本考案の一実施形態に係る後飾り壇の上縁補強板を示す平面図である。
【図１４】本考案の一実施形態に係る後飾り壇の組立工程を説明する分解斜視図である。
【図１５】本考案の一実施形態に係る後飾り壇の天板の組立工程を説明する分解斜視図である。
【図１６】本考案の一実施形態に係る後飾り壇の棚板の組立工程を説明する分解斜視図である。
【図１７】本考案の一実施形態に係る後飾り壇（折畳形態）を示す斜視図である。
【図１８】本考案の一実施形態に係る後飾り壇（折畳形態）を示す断面図である。
【考案を実施するための形態】
【００１３】
以下、添付の図面を参照しつつ、本考案の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。本明細書では方向や位置を示す用語を用いるが、それらの用語は説明の便宜のために用いるものであって、本考案の技術的範囲を限定するものではない。
【００１４】
［後飾り壇の概要］
図１ないし図１１を参照して、祭壇の一例としての後飾り壇１の構成について説明する。図１は後飾り壇１を示す斜視図である。図２は後飾り壇１を示す正面図である。図３は、図２のＩＩＩ−ＩＩＩ断面図である。図４は、図２のＩＶ−ＩＶ断面図である。図５は正面部２Ｆ等のブランク１０を示す平面図である。図６は背面部２Ｒ等のブランク１１を示す平面図である。図７は後方支持部４Ｒのブランク１２を示す平面図である。図８は天板５の一部のブランク１３を示す平面図である。図９は天板芯材５８のブランク１４を示す平面図である。図１０は棚板６の一部のブランク１５を示す平面図である。図１１は棚芯材６５のブランク１６を示す平面図である。
【００１５】
図１および図２に示すように、後飾り壇１は、背の高い略六角柱状（角筒状）に形成されている。後飾り壇１は、葬儀において火葬した遺骨を安置するために自宅に設置される祭壇である。後飾り壇１は、例えば、段ボールシート等の板紙によって折り畳み可能に形成されている。
【００１６】
図１ないし図４に示すように、後飾り壇１は、筒体２と、上方開閉部材３と、下方開閉部材４と、天板５と、棚板６と、を備えている。筒体２は、前面に開口部７を有し、上下方向に延びた略六角形断面を有する筒状に形成されている。詳細は後述するが、筒体２は、左右両面が上下方向に延設された一対の縦線部８に沿って折れながら左右両外側に突出することで前後方向に平坦に折り畳まれる。上方開閉部材３は、筒体２の前後方向に対向した一対の内面の上部に接続され、且つ天板５の下面に接続され、筒体２と共に折畳可能に形成されている。下方開閉部材４は、筒体２の前後方向に対向した一対の内面の下部に接続され、且つ棚板６の下面に接続され、筒体２と共に折畳可能に形成されている。天板５は、筒体２の上面開口２Ａを閉塞し、後飾り壇１の天部を構成する。棚板６は、開口部７の下部にて筒体２の内部を閉塞し、骨壺箱（図示せず）等を載置する棚を構成する。
【００１７】
筒体２は、正面部２Ｆと背面部２Ｒとを接合することで組み立てられる（図４参照）。正面部２Ｆは、図５に示すブランク１０から組み立てられる。背面部２Ｒは、図６に示すブランク１１から組み立てられる。上方開閉部材３は、背面部２Ｒ（ブランク１１）と一体に形成されている。下方開閉部材４は、正面部２Ｆ（ブランク１０）と一体に形成された前方支持部４Ｆと、背面部２Ｒに接続された後方支持部４Ｒと、を含んでいる。後方支持部４Ｒは、図７に示すブランク１２から組み立てられる。天板５は、図８に示すブランク１３と図９に示すブランク１４から組み立てられる。棚板６は、図１０に示すブランク１５と図１１に示すブランク１６から組み立てられる。これらのブランク１０〜１６は、それぞれ、波状の中しん９Ａの表裏に表ライナ９Ｂと裏ライナ９Ｃ（図３等参照）とを貼り合せた両面段ボールシート（紙製）で形成されている。これらのブランク１０〜１６は、段ボールシートを抜型等で打ち抜いて形成される。なお、図面では、段ボールシートの表ライナ９Ｂ側を示している。また、図面に示す「Ｘ」は段ボールシートの中しん９Ａが延びた「段方向」を示し、「Ｙ」は段方向に直交した「流れ方向」を示している。
【００１８】
［正面部のブランク］
図５に示すように、正面部２Ｆのブランク１０は、前面板２０と、一対の前方側面板２１と、一対の前方継代片２２と、を備えている。
【００１９】
＜前面板＞
前面板２０は、段方向（左右方向）の幅よりも流れ方向（上下方向）の高さを長くした略長方形状に形成されている。前面板２０は、後飾り壇１の正面を構成する部材であって、上下方向中間部に略四角形状の開口部７を有している。開口部７は、後飾り壇１を組み立てた状態（以下、「組立状態」ともいう。）で前面板２０を上下方向に二分割するように前面板２０の左右方向の幅いっぱいに形成される。開口部７の周縁部には、一対の側方折返片２３と、上方折返片２５と、前方支持部４Ｆとが連設されており、ブランク１０の状態では開口部７の中心領域だけが開口している。
【００２０】
（側方折返片）
一対の側方折返片２３は、側方開口額縁部２４を介して開口部７の左右両縁部（一対の前方側面板２１）に連設されている。一対の側方折返片２３は、開口部７の左右両縁部から互いに接近する方向に延設されている。各側方折返片２３は、開口部７の縁部から中心に向かって徐々に上下方向の幅が狭くなる略台形状に形成されている。各側方開口額縁部２４は、第１折曲線Ｌ１と側方折返線Ｌ１０とを介して側方折返片２３と前方側面板２１とに連設されている。第１折曲線Ｌ１と側方折返線Ｌ１０とは、上下方向に沿って略平行に延設されている。
【００２１】
（上方折返片）
上方折返片２５は、上方開口額縁部２６を介して開口部７の上縁部に連設されている。上方折返片２５は、開口部７の上縁部から一対の側方折返片２３の間に入り込むように下方に延設され、上方から下方に向かって左右方向の幅が狭くなる略台形状に形成されている。上方折返片２５の先端部には、突起部２５Ａが突設されている。上方開口額縁部２６は、２本の上方折返線Ｌ１１を介して前面板２０と上方折返片２５とに連設されている。２本の上方折返線Ｌ１１は、左右方向に沿って略平行に延設されている。
【００２２】
（前方支持部）
前方支持部４Ｆは、下方ヒンジ線Ｌ１２を介して開口部７の下縁部に連設された下部前方連結板２７と、第１下方折畳線Ｌ１３を介して下部前方連結板２７の先端部に連設された下部前方継代片２８と、を含んでいる。下部前方連結板２７は、開口部７の下縁部から一対の側方折返片２３の間に入り込むように上方に延設され、下方から上方に向かって左右方向の幅が狭くなる略台形状に形成されている。下部前方連結板２７の流れ方向の寸法（延出寸法）は、前方側面板２１の段方向（左右方向）の寸法よりも僅かに短く設定されている。下部前方継代片２８は略長方形状に形成され、その流れ方向の寸法（延出寸法）は下部前方連結板２７の流れ方向の寸法よりも十分に短く（例えば１／３程度）に設定されている。
【００２３】
下部前方連結板２７には、開口部７の下縁部から上方に突き出すように一対の下方嵌合片２７Ａが形成されている。各下方嵌合片２７Ａは、下部前方連結板２７の一部を切断することで略正方形状に形成され、下方ヒンジ線Ｌ１２を介して開口部７の下縁部に連設されている。なお、各下方嵌合片２７Ａに形成された下方ヒンジ線Ｌ１２は、他の部分の下方ヒンジ線Ｌ１２よりも僅かに上方にずれた位置に形成されている。
【００２４】
＜前方側面板、前方継代片＞
一対の前方側面板２１は、第１折曲線Ｌ１を介して前面板２０の段方向（左右方向）両端部に連設されている。一対の前方継代片２２は、第２折曲線Ｌ２を介して一対の前方側面板２１の段方向両端部に連設されている。一対の前方側面板２１と一対の前方継代片２２とは、前面板２０の高さと略同一の高さとなる略長方形状に形成されている。各前方側面板２１の段方向の幅は、前面板２０の幅よりも十分に短く（例えば１／３程度）設定されている。各前方継代片２２の段方向の幅は、前方側面板２１の幅よりも十分に短く（例えば１／４程度）設定されている。
【００２５】
［背面部のブランク］
図６に示すように、背面部２Ｒのブランク１１は、後面板３０と、一対の後方側面板３１と、一対の後方継代片３２と、上方開閉部材３と、を備えている。なお、背面部２Ｒのブランク１１の中しん９Ａ（段方向）は、正面部２Ｆのブランク１０の中しん９Ａと直交する向きに延びている。
【００２６】
＜後面板、後方側面板、後方継代片＞
後面板３０は、前面板２０と略同一寸法となる略長方形状に形成されている。各後方側面板３１は前方側面板２１と略同一寸法となる略長方形状に形成され、各後方継代片３２は前方継代片２２と略同一寸法となる略長方形状に形成されている。一対の後方側面板３１は第３折曲線Ｌ３を介して後面板３０の流れ方向（左右方向）両端部に連設されている。一対の後方継代片３２は第４折曲線Ｌ４を介して後方側面板３１の流れ方向両端部に連設されている。
【００２７】
＜上方開閉部材＞
上方開閉部材３は、上方ヒンジ線Ｌ１４を介して後面板３０の上端部に連設された上部後方連結板３３と、第１上方折畳線Ｌ１５を介して上部後方連結板３３の先端部に連設された上部前方連結板３４と、第２上方折畳線Ｌ１６を介して上部前方連結板３４の先端部に連設された上部前方継代片３５と、を含んでいる。
【００２８】
（上部後方連結板）
上部後方連結板３３は、後面板３０の上端部から上方に延設されている。上部後方連結板３３は、後面板３０の流れ方向の幅よりも僅かに狭い幅となる略長方形状に形成されている。上部後方連結板３３の段方向の寸法（延出寸法）は、下部前方連結板２７の延出寸法と略同一に設定されている。上部後方連結板３３には、後面板３０の上端部から上方に突き出すように一対の上方嵌合片３３Ａが形成されている。各上方嵌合片３３Ａは、上部後方連結板３３の一部を切断することで略正方形状に形成され、上方ヒンジ線Ｌ１４を介して後面板３０の上端部に連設されている。なお、各上方嵌合片３３Ａに形成された上方ヒンジ線Ｌ１４は、他の部分の上方ヒンジ線Ｌ１４よりも僅かに上方にずれた位置に形成されている。
【００２９】
（上部前方連結板）
上部前方連結板３４は、上部後方連結板３３の先端部から上方に延設されている。上部前方連結板３４は、上部後方連結板３３の流れ方向の幅よりも僅かに狭い幅となる略長方形状に形成されている。上部前方連結板３４の段方向の寸法（延出寸法）は、上部後方連結板３３の延出寸法と略同一に設定されている。上部前方連結板３４には、第２上方折畳線Ｌ１６に沿って爪貫通穴３４Ａが開口している。爪貫通穴３４Ａは、流れ方向に細長い略長方形状に形成されている。また、上部前方連結板３４には、爪貫通穴３４Ａの流れ方向両端から基端側（組立状態で後方）に向かって一対の切込みを入れることで爪干渉防止片３４Ｂが形成されている。
【００３０】
（上部前方継代片）
上部前方継代片３５は、上部前方連結板３４の先端部から上方に延設されている。上部前方継代片３５は、上部後方連結板３３の流れ方向の幅と略同一幅となる略長方形状に形成されている。上部前方継代片３５の段方向の寸法（延出寸法）は、下部前方継代片２８の延出寸法と略同一に設定されている。
【００３１】
［後方支持部のブランク］
図７に示すように、後方支持部４Ｒのブランク１２は、下部起立板４０と、第１下部後方連結板４１と、第２下部後方連結板４２と、第１下部後方継代片４３と、第２下部後方継代片４４と、を備えている。
【００３２】
＜下部起立板＞
下部起立板４０は、下部前方継代片２８の段方向（左右方向）の幅と略同一幅となる略長方形状に形成されている。下部起立板４０の段方向の寸法は、開口部７の下縁部から前面板２０の下端までの高さと略同一に設定されている。
【００３３】
＜第１下部後方連結板、第２下部後方連結板＞
第１下部後方連結板４１は第２下方折畳線Ｌ１７を介して下部起立板４０の上端部に連設され、第２下部後方連結板４２は第２下方折畳線Ｌ１７を介して下部起立板４０の下端部に連設されている。第１および第２下部後方連結板４１，４２は、下部起立板４０から段方向外側に向かって流れ方向（左右方向）に幅広くなる略台形状に形成されている。第１および第２下部後方連結板４１，４２の段方向の寸法は、下部前方連結板２７の延出寸法と略同一に設定されている。
【００３４】
＜第１下部後方継代片、第２下部後方継代片＞
第１下部後方継代片４３は第３下方折畳線Ｌ１８を介して第１下部後方連結板４１の端部に連設され、第２下部後方継代片４４は第３下方折畳線Ｌ１８を介して第２下部後方連結板４２の端部に連設されている。第１および第２下部後方継代片４３，４４は長方形状に形成され、その段方向の寸法は下部前方継代片２８の延出寸法と略同一に設定されている。なお、第２下部後方継代片４４には、第３下方折畳線Ｌ１８に沿って略コ字状（Ｕ字状）の切込みが形成されている。
【００３５】
［天板のブランク］
図８に示すように、天板５のブランク１３は、天面板５０と、前方額縁部５１と、前方下面板５２と、後方額縁部５３と、後方下面板５４と、一対の側方額縁部５５と、一対の側方下面板５６と、を備えている。
【００３６】
＜天面板＞
天面板５０は、段方向（前後方向）の幅よりも流れ方向（左右方向）の幅を長くした略長方形状に形成されている。天面板５０の前後幅は筒体２の前後幅よりも長く、天面板５０の左右幅は筒体２の左右幅よりも長く設定されている。
【００３７】
＜前方額縁部、前方下面板＞
前方下面板５２は、前方額縁部５１を介して天面板５０の段方向一端部（前端部）に連設されている。前方下面板５２は、基端（天面板５０側）から先端に向かって左右方向の幅が狭くなる略台形状に形成されている。正確には、前方下面板５２の先端部分を除く部分は台形状に形成され、前方下面板５２の先端部分は矩形状に形成されている。前方下面板５２の基端側には、略六角形状の爪係合穴５７が形成されている。前方額縁部５１は、２本の第１天面折曲線Ｌ２０を介して天面板５０と前方下面板５２とに連設されている。
【００３８】
＜後方額縁部、後方下面板＞
後方下面板５４は、後方額縁部５３を介して天面板５０の段方向他端部（後端部）に連設されている。後方下面板５４は、前方下面板５２と前後対称となる外形を有している。後方下面板５４には、一対の上方嵌合穴５４Ａが後方額縁部５３（第１天面折曲線Ｌ２０）に沿って形成されている。各上方嵌合穴５４Ａは、やや段方向に長い長方形状に形成された穴である。後方額縁部５３は、２本の第１天面折曲線Ｌ２０を介して天面板５０と後方下面板５４とに連設されている。
【００３９】
＜側方額縁部、側方下面板＞
各側方下面板５６は、側方額縁部５５を介して天面板５０の流れ方向両端部（左右両端部）に連設されている。各側方下面板５６は、基端（天面板５０側）から先端に向かって前後方向の幅が狭くなる略台形状に形成されている。各側方額縁部５５は、２本の第２天面折曲線Ｌ２１を介して天面板５０と側方下面板５６とに連設されている。
【００４０】
なお、合計４本の第１天面折曲線Ｌ２０は、流れ方向（左右方向）に沿って略平行に延設されている。また、合計４本の第２天面折曲線Ｌ２１は、段方向（前後方向）に沿って略平行に延設されている。
【００４１】
図９に示すように、天板５のブランク１４は、天面板５０よりも僅かに小さい長方形状に形成された天板芯材５８を含んでいる。天板芯材５８には、爪係合穴５７と略同一形状となる内側係合穴５８Ａが形成されている。なお、天板芯材５８は、二枚重ねにされて天板５の芯材として使用される。
【００４２】
［棚板のブランク］
図１０に示すように、棚板６のブランク１５は、棚上面板６０と、棚前面額縁部６１と、棚下面板６２と、一対の棚側面額縁部６３と、一対の棚側方下面板６４と、を備えている。
【００４３】
＜棚上面板＞
棚上面板６０は、段方向（前後方向）の幅よりも流れ方向（左右方向）の幅を長くした略長方形状に形成されている。棚上面板６０の前後幅は筒体２の前後幅よりも長く、棚上面板６０の左右幅は前面板２０（開口部７）の左右幅よりも若干短く設定されている。
【００４４】
＜棚前面額縁部、棚下面板＞
棚下面板６２は、棚前面額縁部６１を介して棚上面板６０の段方向一端部（前端部）に連設されている。棚下面板６２の基端側は先端に向かって徐々に左右方向に幅狭くなる略台形状に形成され、棚下面板６２の基端側を除く部分は略長方形状に形成されている。棚下面板６２には、一対の下方嵌合穴６２Ａが棚前面額縁部６１の近傍にて形成されている。各下方嵌合穴６２Ａは、略正方形状に形成された穴である。棚前面額縁部６１は、２本の第１棚折曲線Ｌ２２を介して棚上面板６０と棚下面板６２とに連設されている。
【００４５】
＜棚側面額縁部、棚側方下面板＞
各棚側方下面板６４は、棚側面額縁部６３を介して棚上面板６０の流れ方向両端部（左右両端部）に連設されている。各棚側方下面板６４は、基端（棚上面板６０側）から先端に向かって前後方向の幅が狭くなる略台形状に形成されている。各棚側面額縁部６３は、２本の第２棚折曲線Ｌ２３を介して棚上面板６０と棚側方下面板６４とに連設されている。
【００４６】
なお、２本の第１棚折曲線Ｌ２２は、流れ方向（左右方向）に沿って略平行に延設されている。また、合計４本の第２棚折曲線Ｌ２３は、段方向（前後方向）に沿って略平行に延設されている。
【００４７】
図１１に示すように、棚板６のブランク１６は、棚上面板６０よりも僅かに小さい長方形状に形成された棚芯材６５を含んでいる。なお、棚芯材６５は、二枚重ねにされて棚板６の芯材として使用される。
【００４８】
なお、第１〜第４折曲線Ｌ１〜Ｌ４、側方折返線Ｌ１０、上方折返線Ｌ１１、上方ヒンジ線Ｌ１４、第１〜第２上方折畳線Ｌ１５，Ｌ１６、第２〜第３下方折畳線Ｌ１７，Ｌ１８、第１〜第２天面折曲線Ｌ２０，Ｌ２１および第１〜第２棚折曲線Ｌ２２，Ｌ２３は、それぞれ、段ボールシートを裏ライナ９Ｃ側から直線状に潰した汎用罫線である。また、下方ヒンジ線Ｌ１２および第１下方折畳線Ｌ１３は、それぞれ、汎用罫線上に間隔をあけて複数の切目を入れたリード罫である。これらの第１折曲線Ｌ１等は、汎用罫線やリード罫に限らず、段ボールシートを折り曲げるための線であれば如何なるものでもよい。
【００４９】
また、後飾り壇１は、以上説明した複数のブランク１０〜１６に加えて、開口部７の左右両縁部を補強するための一対の側縁補強板１７（図１２参照（図１２では１つのみ図示している。））と、開口部７の上縁部を補強すると共に上方折返片２５の突起部２５Ａを補強するための上縁補強板１８（図１３参照）と、を有している。各側縁補強板１７は、段方向（上下方向）に細長い長方形状に形成されている。上縁補強板１８は上方折返片２５と略同一形状であり、上縁補強板１８には補強突起部１８Ａが突設されている。側縁補強板１７および上縁補強板１８は、両面段ボールシート（紙製）で形成されている。
【００５０】
また、符号を省略しているが、各ブランク１０〜１６には、後飾り壇１の組立時において各部材の接着位置を指標するマークが形成されている。これらのマークは、例えば、段ボールシートを厚み方向に貫通した切目で構成されている。
【００５１】
［後飾り壇の組立］
次に、図１、図３、図４、図１４ないし図１８を参照して、後飾り壇１の組立工程の一例について説明する。図１４は後飾り壇１の組立工程を説明する分解斜視図である。図１５は天板５の組立工程を説明する分解斜視図である。図１６は棚板６の組立工程を説明する分解斜視図である。図１７は後飾り壇１（折畳形態）を示す斜視図である。図１８は後飾り壇１（折畳形態）を示す断面図である。なお、ここでは、作業者が手作業で後飾り壇１を組み立てる場合について説明する。なお、パーツ同士の接着には、例えば、両面テープ、ホットメルト接着剤、合成樹脂系エマルジョン接着剤等を用いることができる。
【００５２】
＜正面部の組立＞
図３、図４および図１４に示すように、作業者は、一対の側縁補強板１７をブランク１０の一対の前方側面板２１の裏面（裏ライナ９Ｃ）に接着する。続いて、作業者は、一対の側方開口額縁部２４を第１折曲線Ｌ１に沿って後方（裏側）に折り曲げ、一対の側方折返片２３を側方折返線Ｌ１０に沿って左右外側に折り曲げて一対の側縁補強板１７に重ねて接着する。
【００５３】
次に、図３および図１４に示すように、作業者は、下部前方連結板２７を下方ヒンジ線Ｌ１２に沿って後方に略直角に折り曲げ、下部前方継代片２８を第１下方折畳線Ｌ１３に沿って下方に略直角に折り曲げる。これにより、側面から見て略Ｌ字状の前方支持部４Ｆが形成される。なお、各下方嵌合片２７Ａの下方ヒンジ線Ｌ１２は僅かに上方にずれているため、下部前方連結板２７を折り曲げると、一対の下方嵌合片２７Ａは、下部前方連結板２７よりも僅かに上方で折れて下部前方連結板２７から僅かに持ち上がる。
【００５４】
＜背面部の組立＞
作業者は、ブランク１１の上部後方連結板３３を上方ヒンジ線Ｌ１４に沿って前方に略直角に折り曲げ、上部前方継代片３５を第２上方折畳線Ｌ１６に沿って下方に略直角に折り曲げる。これにより、側面から見て略Ｌ字状の上方開閉部材３が形成される。なお、上記した下方嵌合片２７Ａと同様に、上部後方連結板３３を折り曲げると、一対の上方嵌合片３３Ａは上部後方連結板３３から僅かに持ち上がる。
【００５５】
＜後方支持部の組立＞
作業者は、ブランク１２の第１下部後方連結板４１と第２下部後方連結板４２とを第２下方折畳線Ｌ１７に沿って後方に略直角に折り曲げ、第１下部後方継代片４３と第２下部後方継代片４４とを第３下方折畳線Ｌ１８に沿って上方に略直角に折り曲げる。これにより、側面から見て略Ｃ字状の後方支持部４Ｒが形成される。
【００５６】
＜筒体の組立＞
図３および図１４に示すように、作業者は、後方支持部４Ｒを略Ｃ字状に保持しながら第１下部後方継代片４３と第２下部後方継代片４４とを、背面部２Ｒの後面板３０の下部裏面に接着する。作業者は、正面部２Ｆの裏面と背面部２Ｒの裏面とを向き合わせ、前方支持部４Ｆの下部前方継代片２８を後方支持部４Ｒの下部起立板４０の上部に接着する。これにより、前方支持部４Ｆと後方支持部４Ｒとが連結されて下方開閉部材４を構成する。続いて、作業者は、上方開閉部材３の上部前方継代片３５を正面部２Ｆの前面板２０の上部裏面に接着する。
【００５７】
次に、作業者は、補強突起部１８Ａを上方に向けた上縁補強板１８を、上部前方継代片３５および開口部７の上縁裏面に重ねて接着する。補強突起部１８Ａは、上方開閉部材３（上部前方連結板３４）の爪貫通穴３４Ａを貫通して上部前方連結板３４よりも上方に突き出している。続いて、作業者は、上方開口額縁部２６と上方折返片２５とを２本の上方折返線Ｌ１１に沿って裏側に折り返し、上方折返片２５を上縁補強板１８に重ねて接着する。上方折返片２５の突起部２５Ａは、爪貫通穴３４Ａを貫通して上部前方連結板３４よりも上方に突き出している。突起部２５Ａと補強突起部１８Ａとは、略一致して重なって爪部２９を構成する。
【００５８】
次に、図３、図４および図１４に示すように、作業者は、正面部２Ｆの一対の前方側面板２１を第１折曲線Ｌ１に沿って後方に折り曲げ、背面部２Ｒの一対の後方側面板３１を第３折曲線Ｌ３に沿って前方に折り曲げる。また、作業者は、一対の前方継代片２２を第２折曲線Ｌ２に沿って裏側に折り返し、一対の後方継代片３２を第４折曲線Ｌ４に沿って裏側に折り返し、各前方継代片２２の表面を各後方継代片３２の表面に接着する。
【００５９】
以上の状態で、図１および図４に示すように、後面板３０は、前面板２０の後方に対向配置される。また、一対の前方側面板２１は、前面板２０から左右両外側に向かって後方に傾斜して配置され、一対の後方側面板３１は、後面板３０から左右両外側に向かって前方に傾斜して配置される。以上によって、略六角形断面を有する筒形状を成す筒体２が完成する。なお、筒体２が筒形状を成す形態を「使用形態Ｆ１」と呼ぶ。
【００６０】
図３に示すように、筒体２が使用形態Ｆ１に変形した状態では、上方開閉部材３は筒体２の上面開口２Ａを閉塞する上方展開形態Ｆ３に変形する。この状態では、上部後方連結板３３と上部前方連結板３４とが、第１上方折畳線Ｌ１５で折れずに略同一平面を構成している。また、筒体２が使用形態Ｆ１に変形した状態では、下方開閉部材４は筒体２の内部を閉塞する下方展開形態Ｆ５に変形する。この状態では、下部前方連結板２７と第１下部後方連結板４１とが略同一平面を構成している。また、第１下部後方連結板４１と第２下部後方連結板４２とは略平行に配置されている。なお、上方および下方開閉部材３，４が筒体２の上面開口２Ａおよび内部を閉塞するとは、上面開口２Ａおよび内部を完全に塞ぐことを要求するものではなく、隙間や開口を有して概ね塞ぐような状態を含む概念である。
【００６１】
＜天板の組立＞
次に、図１５に示すように、作業者は、２枚重ねにした天板芯材５８（ブランク１４）を、ブランク１３の天面板５０の裏面上に配置する。この際、各天板芯材５８は、内側係合穴５８Ａを前方下面板５２の側に向けた姿勢で配置される。なお、天板芯材５８は天面板５０の裏面に接着してもよい。また、２枚の天板芯材５８は互いに接着してもよいし接着しなくてもよい。
【００６２】
次に、作業者は、前方額縁部５１と前方下面板５２とを２本の第１天面折曲線Ｌ２０に沿って裏側に折り返し、前方下面板５２を天板芯材５８に重ねて接着する。また、作業者は、後方額縁部５３と後方下面板５４とを２本の第１天面折曲線Ｌ２０に沿って裏側に折り返し、後方下面板５４を天板芯材５８に重ねて接着する。さらに、作業者は、一対の側方額縁部５５と一対の側方下面板５６とを２本の第２天面折曲線Ｌ２１に沿って裏側に折り返し、一対の側方下面板５６を天板芯材５８に重ねて接着する。
【００６３】
以上のように、２枚の天板芯材５８がブランク１３に包み込まれることで、天板５が完成する。なお、前方下面板５２と後方下面板５４との先端は突き合わされ、一対の側方下面板５６の先端は前方下面板５２および後方下面板５４に突き合わされている。また、前方下面板５２の爪係合穴５７は、天板芯材５８の内側係合穴５８Ａに連通している。さらに、後方下面板５４の各上方嵌合穴５４Ａからは、天板芯材５８が露出している。
【００６４】
＜棚板の組立＞
次に、図１６に示すように、作業者は、２枚重ねにした棚芯材６５（ブランク１６）を、ブランク１５の棚上面板６０の裏面上に配置する。なお、棚芯材６５は棚上面板６０の裏面に接着してもよい。また、２枚の棚芯材６５は互いに接着してもよいし接着しなくてもよい。
【００６５】
次に、作業者は、棚前面額縁部６１と棚下面板６２とを２本の第１棚折曲線Ｌ２２に沿って裏側に折り返し、棚下面板６２を棚芯材６５に重ねて接着する。また、作業者は、一対の棚側面額縁部６３と一対の棚側方下面板６４とを２本の第２棚折曲線Ｌ２３に沿って裏側に折り返し、一対の棚側方下面板６４を棚芯材６５に重ねて接着する。
【００６６】
以上のように、２枚の棚芯材６５がブランク１５に包み込まれることで、棚板６が完成する。なお、一対の棚側方下面板６４の先端は棚下面板６２に突き合わされている。また、棚下面板６２の各下方嵌合穴６２Ａからは、天板芯材５８が露出している。
【００６７】
ここで、図１、図３および図４に示すように、一対の前方継代片２２と一対の後方継代片３２とを裏側（内側）に折り曲げて接着した部分が一対の縦線部８となる。換言すれば、一対の縦線部８は、一対の第２折曲線Ｌ２と一対の第４折曲線Ｌ４とで構成されている。使用形態Ｆ１となった筒体２は、一対の縦線部８で鋭角に屈曲しながら左右両外側に突出することで前後方向に平坦となるように折り畳まれた折畳形態Ｆ２に変形する（図１７および図１８参照）。詳細には、筒体２が使用形態Ｆ１から折畳形態Ｆ２に変形すると、前面板２０と後面板３０とは互いに接近し、各前方側面板２１と各後方側面板３１とは互いに接近する。以上のように、筒体２は、筒形状を成した使用形態Ｆ１と、平坦に折り畳まれた折畳形態Ｆ２との間で変形する。
【００６８】
＜天板および棚板の取付＞
図１７および図１８に示すように、作業者は、筒体２を折畳形態Ｆ２に変形させ、上方および下方開閉部材３，４を上方および下方収縮形態Ｆ４，Ｆ６に変形させる。次に、作業者は、組み立てた天板５を上方開閉部材３の上部後方連結板３３の上面（表面）に接着する。この際、作業者は、上部後方連結板３３から僅かに突出した一対の上方嵌合片３３Ａを、天板５の下面に開口した一対の上方嵌合穴５４Ａに嵌め込む（図４および図１４参照）。これにより、上方開閉部材３に対して天板５を位置決めしながら接着することができる。
【００６９】
また、作業者は、組み立てた棚板６を下方開閉部材４の下部前方連結板２７の上面（表面）に接着する。この際、作業者は、下部前方連結板２７から僅かに突出した一対の下方嵌合片２７Ａを、棚板６の下面に開口した一対の下方嵌合穴６２Ａに嵌め込む（図１４参照）。これにより、下方開閉部材４に対して棚板６を位置決めしながら接着することができる。
【００７０】
以上のように、天板５は上方開閉部材３を介して筒体２の後側に接続され、棚板６は下方開閉部材４を介して筒体２の前側に接続される。天板５は、筒体２との接続部としての上方ヒンジ線Ｌ１４を軸に回動可能に設けられ、棚板６は、筒体２との接続部としての下方ヒンジ線Ｌ１２を軸に回動可能に設けられる（図３および図１８参照）。
【００７１】
以上によって、後飾り壇１が完成する。なお、上記した後飾り壇１の組立順序は一例であって、その順序は矛盾のない範囲で入れ替えてもよい。また、天板５を取り付ける場合には、筒体２を使用形態Ｆ１とし、上方および下方開閉部材３，４を上方および下方展開形態Ｆ３，Ｆ５としてもよい。
【００７２】
図１７および図１８に示すように、本実施形態では、完成した後飾り壇１は折り畳まれている。詳細には、筒体２が折畳形態Ｆ２に変形し、且つ上方および下方開閉部材３，４が上方および下方収縮形態Ｆ４，Ｆ６に変形している。この状態で、天板５は、上部後方連結板３３と共に後方から前方に向かって上方に傾斜し、筒体２の上面開口２Ａを開放する開放姿勢Ｐ２になっている。開放姿勢Ｐ２となった天板５の後端部は、後面板３０の後側に位置している。一方で、棚板６は、開口部７において下部前方連結板２７と共に後方から前方に向かって下方に傾斜し、筒体２の内部を開放する棚開放姿勢Ｐ４になっている。棚開放姿勢Ｐ４となった棚板６の前部は開口部７から前方に突き出し、棚板６の後部は開口部７の内側に位置している。
【００７３】
また、筒体２が折畳形態Ｆ２に変形した状態では、上部後方連結板３３と上部前方連結板３４とは、第１上方折畳線Ｌ１５で鋭角に屈曲しながら上方に突出する。上部後方連結板３３と上部前方連結板３４とは前後両端から中央（第１上方折畳線Ｌ１５）に向かって上方に傾斜し、上方開閉部材３は前後方向に平坦に折り畳まれた上方収縮形態Ｆ４に変形する。なお、上方開閉部材３が上方収縮形態Ｆ４に変形すると、爪部２９は、爪干渉防止片３４Ｂに接触し、爪干渉防止片３４Ｂを僅かに後方に押し出している。
【００７４】
また、下部前方連結板２７と第１下部後方連結板４１とは、筒体２（開口部７）の内部において第１下方折畳線Ｌ１３と第２下方折畳線Ｌ１７とで鋭角に屈曲しながら上方に突出する。下部前方連結板２７と第１下部後方連結板４１とは前後両端から中央に向かって上方に傾斜し、下方開閉部材４は前後方向に平坦に折り畳まれた下方収縮形態Ｆ６に変形する。また、第２下部後方連結板４２も第１下部後方連結板４１と略平行な傾斜姿勢となる。
【００７５】
以上説明したように、上方開閉部材３は、天板５を閉塞姿勢Ｐ１にする上方展開形態Ｆ３と、天板５を開放姿勢Ｐ２にする上方収縮形態Ｆ４との間で変形する。また、下方開閉部材４は、棚板６を棚閉塞姿勢Ｐ３にする下方展開形態Ｆ５と、棚板６を棚開放姿勢Ｐ４にする下方収縮形態Ｆ６との間で変形する。また、筒体２と上方および下方開閉部材３，４とは互いに連動して変形する。
【００７６】
［後飾り壇の作用］
次に、図１、図３、図１７および図１８を参照して、ユーザが後飾り壇１を使用する場合について説明する。
【００７７】
図１７および図１８に示すように、後飾り壇１（筒体２）は折り畳まれた状態でユーザに届けられる。ユーザは、例えば、折り畳まれた後飾り壇１を設置面に載置し、開放姿勢Ｐ２となった天板５の前端部を押し下げると共に棚開放姿勢Ｐ４となった棚板６の後端部を押し下げる。
【００７８】
図３および図１８に示すように、天板５の押し下げに伴って、上方開閉部材３は上方収縮形態Ｆ４から上方展開形態Ｆ３に変形する。図３に示すように、天板５は、上方開閉部材３の上方ヒンジ線Ｌ１４を軸に下方に回動して水平な姿勢になり、上方展開形態Ｆ３に変形した上方開閉部材３（上部後方連結板３３、上部前方連結板３４）上に重なる。この状態で、上部前方連結板３４よりも上方に突き出した爪部２９は、天板５の下面に開口した爪係合穴５７に嵌合する。以上によって、天板５は、開放姿勢Ｐ２から筒体２の上面開口２Ａを閉塞する閉塞姿勢Ｐ１に姿勢変更される。
【００７９】
また、図３および図１８に示すように、棚板６の押し下げに伴って、下方開閉部材４は下方収縮形態Ｆ６から下方展開形態Ｆ５に変形する。棚板６は、開口部７の下縁部から後方に延びており、その後端部を後面板３０の内面に接触させながら下方開閉部材４の下方ヒンジ線Ｌ１２を軸に下方に回動する。図３に示すように、棚板６は、水平な姿勢になると下方展開形態Ｆ５に変形した下方開閉部材４（下部前方連結板２７、第１下部後方連結板４１）上に重なる。以上によって、棚板６は、棚開放姿勢Ｐ４から筒体２の内部を閉塞する棚閉塞姿勢Ｐ３に姿勢変更される。なお、請求項に言う「棚係合部」の一例が後面板３０の内面であり、「被棚係合部」の一例が棚板６の後端部である。
【００８０】
また、天板５が開放姿勢Ｐ２から閉塞姿勢Ｐ１に姿勢変更され、棚板６が棚開放姿勢Ｐ４から棚閉塞姿勢Ｐ３に姿勢変更され、上方および下方開閉部材３，４が上方および下方収縮形態Ｆ４，Ｆ６から上方および下方展開形態Ｆ３，Ｆ５に変形すると、筒体２は自動的に折畳形態Ｆ２から使用形態Ｆ１に変形する（図１参照）。筒体２の各前方継代片２２と各後方継代片３２とは、内側に突出しているが、棚板６には干渉していない（軽く接触していてもよい。）（図１および図４参照）。
【００８１】
図３に示すように、天板５が閉塞姿勢Ｐ１に姿勢になると、爪部２９が天板５の爪係合穴５７に嵌合するため、天板５は筒体２に簡易的に固定される。また、棚板６は、棚閉塞姿勢Ｐ３に姿勢になると、後面板３０に密着することで筒体２に簡易的に固定される。したがって、天板５が閉塞姿勢Ｐ１に姿勢変更され、且つ棚板６が棚閉塞姿勢Ｐ３に姿勢変更された状態では、筒体２は使用形態Ｆ１に保持されることになる。また、天板５は閉塞姿勢Ｐ１に保持され、棚板６は棚閉塞姿勢Ｐ３に保持される。
【００８２】
以上によって、後飾り壇１が使用可能な形態に変形し、ユーザは棚板６に骨壺箱等を載置することができる。
【００８３】
次に、ユーザが後飾り壇１を折り畳む場合について説明する。
【００８４】
図３および図１８に示すように、ユーザは、例えば、閉塞姿勢Ｐ１となった天板５の前端部を引き上げると共に棚閉塞姿勢Ｐ３となった棚板６の後端部を引き上げる。図１７および図１８に示すように、天板５の引き上げに伴って、爪部２９が爪係合穴５７から離脱し、上方開閉部材３は上方展開形態Ｆ３から上方収縮形態Ｆ４に変形する。天板５は、上方ヒンジ線Ｌ１４を軸に上方に回動して開放姿勢Ｐ２になる。また、棚板６の引き上げに伴って、棚板６の後端部が後面板３０から離れるように回動し、下方開閉部材４は下方展開形態Ｆ５から下方収縮形態Ｆ６に変形する。棚板６は、下方ヒンジ線Ｌ１２を軸に上方に回動して棚開放姿勢Ｐ４になる。
【００８５】
天板５が閉塞姿勢Ｐ１から開放姿勢Ｐ２に姿勢変更され、棚板６が棚閉塞姿勢Ｐ３から棚開放姿勢Ｐ４に姿勢変更され、上方および下方開閉部材３，４が上方および下方展開形態Ｆ３，Ｆ５から上方および下方収縮形態Ｆ４，Ｆ６に変形すると、筒体２は自動的に使用形態Ｆ１から折畳形態Ｆ２に変形する。
【００８６】
以上によって、後飾り壇１が前後方向に平坦に折り畳まれ、ユーザは後飾り壇１を収納したり廃棄処分したりすることができる。
【００８７】
以上説明した本実施形態に係る後飾り壇１では、天板５が筒体２の上面開口２Ａを閉塞し、且つ棚板６が開口部７の下部にて筒体２の内部を閉塞した状態で、筒体２は使用形態Ｆ１に保持される構成とした。また、天板５が上面開口２Ａを閉塞した状態で、天板５の爪係合穴５７は筒体２の爪部２９に係合し、棚板６の後端部は後面板３０の内面に係合していた。この構成によれば、天板５と棚板６とが筒体２に取り付けられることで、筒体２を使用形態（筒形状）に保持することができる。これにより、ネジ等の締結手段を用いることなく、後飾り壇１を容易に組み立てることができる。また、後飾り壇１は折り畳めるため、容易に持ち運ぶことができると共に、保管スペースを小さくすることもできる。さらに、後飾り壇１は段ボール製であるため、容易に廃棄することができる。
【００８８】
また、本実施形態に係る後飾り壇１によれば、筒体２の断面形状が略六角形であり、六角形の対角に位置する一対の縦線部８が左右両外側に突き出し易くなるため、筒体２を綺麗に折り畳むことができる。これにより、使用形態Ｆ１では筒体２が六角柱状の意匠を構成することができ、折畳形態Ｆ２では筒体２を平坦に折り畳むことができる。
【００８９】
また、本実施形態に係る後飾り壇１では、天板５が筒体２との接続部を中心に回動して閉塞姿勢Ｐ１と開放姿勢Ｐ２との間で姿勢変更され、棚板６が筒体２との接続部を中心に回動して棚閉塞姿勢Ｐ３と棚開放姿勢Ｐ４との間で姿勢変更される構成とした。この構成によれば、筒体２に接続された天板５と棚板６とを回動させることで、筒体２の筒形状を維持したり、筒体２を折畳可能な状態にしたりすることができる。これにより、天板５と棚板６とを姿勢変更させるという簡単な操作によって筒体２の変形が可能になり、短時間で簡単に後飾り壇１の組み立てと折り畳みを行うことができる。
【００９０】
また、本実施形態に係る後飾り壇１によれば、上方開閉部材３によって筒体２と天板５とが連動し、下方開閉部材４によって筒体２と棚板６とが連動するため、筒体２の変形（形態変更）と各板５，６の姿勢変更とを同期させることができる。これにより、後飾り壇１を迅速に組み立てることができる。
【００９１】
なお、本実施形態に係る後飾り壇１では、天板５および棚板６は、上方および下方開閉部材３，４を介して間接的に筒体２に接続されていたが、これに限らず、筒体２に直接接続されてもよい（図示せず）。この場合には、上方および下方開閉部材３，４が省略されてもよい。また、天板５は、筒体２に対し着脱可能に構成されてもよい。これと同様に、棚板６は、筒体２に対し着脱可能に構成されてもよい。これらの場合、天板５等の開閉（姿勢変更）に連動して筒体２を変形させることができなくなる。
【００９２】
また、本実施形態に係る後飾り壇１では、天板５が筒体２の後側に接続され、棚板６が筒体２の前側に接続されていたが、本考案はこれに限定されない。天板５が筒体２の前側に接続され、棚板６が筒体２の後側に接続されてもよい（図示せず）。
【００９３】
また、本実施形態に係る後飾り壇１では、１つの棚板６が筒体２に設けられていたが、これに限らず、複数の棚板６が筒体２に設けられてもよい（図示せず）。
【００９４】
また、本実施形態に係る後飾り壇１では、筒体２が略六角形断面を有する筒状に形成されていたが、本考案はこれに限定されない。筒体２は、例えば、略四角形断面を有する角型筒状や略円形断面を有する円筒状に形成されてもよい（図示せず）。
【００９５】
また、本実施形態に係る後飾り壇１では、天板５が２枚の天板芯材５８を包み込んで構成され、棚板６が２枚の棚芯材６５を包み込んで構成されていたが、本考案はこれに限定されない。天板芯材５８や棚芯材６５は、１枚でもよいし、３枚以上積層されてもよい（図示せず）。また、天板５および棚板６は、天板芯材５８や棚芯材６５を省略して、１枚の段ボールシートで構成されていてもよい（図示せず）。
【００９６】
また、本実施形態に係る後飾り壇１では、天板５に爪係合穴５７（被係合部）が形成され、筒体２（正面部２Ｆ）に爪部２９（係合部）が形成されていたが、本考案はこれに限定されない。例えば、天板５に爪部２９が形成され、筒体２に爪係合穴５７が形成されてもよい（図示せず）。また、棚板６の後端部（被棚係合部）が後面板３０の内面（棚係合部）に摺接するように構成されていたが、本考案はこれに限定されない。例えば、天板５等と同様に、筒体２と棚板６のいずれか一方に爪を設け、筒体２と棚板６のいずれか他方に爪が嵌合する穴を設けてもよい（図示せず）。
【００９７】
また、本実施形態に係る後飾り壇１では、各パーツが両面段ボールシートで形成されていたが、本考案はこれに限定されない。段ボールシートは、中しん９Ａの片面にライナを貼り付けた片面段ボールシートであってもよいし、片面段ボールシートを両面段ボールシートに貼り合せた複両面段ボールシートであってもよい。また、紙製の段ボールシートに代えて、厚紙や厚紙を積層した合紙等で形成されていてもよい。
【００９８】
また、本実施形態では、祭壇の一例として、後飾り壇１に本考案を適用した場合について説明したが、本考案は、後飾り壇１に限らず、諸宗教の儀礼に使用されてもよい。
【００９９】
なお、上記実施形態の説明は、本考案に係る祭壇における一態様を示すものであって、本考案の技術範囲は、上記実施形態に限定されるものではない。
【符号の説明】
【０１００】
１        後飾り壇（祭壇）
２        筒体
２Ａ    上面開口
３      上方開閉部材
４      下方開閉部材
５      天板
６      棚板（被棚係合部）
７      開口部
８      縦線部
２０    前面板
２１    前方側面板
２２    前方継代片
２９    爪部（係合部）
３０    後面板（棚係合部）
３１    後方側面板
３２    後方継代片
５７    爪係合穴（被係合部）
Ｆ１    使用形態
Ｆ２    折畳形態
Ｆ３    上方展開形態
Ｆ４    上方収縮形態
Ｆ５    下方展開形態
Ｆ６    下方収縮形態
Ｌ１２  下方ヒンジ線（接続部）
Ｌ１４  上方ヒンジ線（接続部）
Ｐ１    閉塞姿勢
Ｐ２    開放姿勢
Ｐ３    棚閉塞姿勢
Ｐ４    棚開放姿勢
【図１】
0003222909.tif 000003
【図２】
0003222909.tif 000004
【図３】
0003222909.tif 000005
【図４】
0003222909.tif 000006
【図５】
0003222909.tif 000007
【図６】
0003222909.tif 000008
【図７】
0003222909.tif 000009
【図８】
0003222909.tif 000010
【図９】
0003222909.tif 000011
【図１０】
0003222909.tif 000012
【図１１】
0003222909.tif 000013
【図１２】
0003222909.tif 000014
【図１３】
0003222909.tif 000015
【図１４】
0003222909.tif 000016
【図１５】
0003222909.tif 000017
【図１６】
0003222909.tif 000018
【図１７】
0003222909.tif 000019
【図１８】
0003222909.tif 000020